(57)【要約】【課題】回転刃の移動方向前方にある草が倒れた状態であっても、この草を確実に刈り取ることができる草刈り機用回転刃を提供する。【解決手段】地面と略平行な面内で回転させられることにより、前記地面に生えている草を刈り取るようにした草刈り機用回転刃であって、前記回転面に沿って設けられた横刃と、この横刃の回転面より下方へ突出する縦刃によって構成されていることを特徴とする草刈り機用回転刃。【選択図】図２
2017143772.tif 000002
【特許請求の範囲】
【請求項１】
地面と略平行な回転面内で回転させられることにより、前記地面に生えている草を刈り取るようにした草刈り機用回転刃であって、前記回転面に沿って設けられた横刃と、この横刃の回転面より下方へ突出する縦刃によって構成されていることを特徴とする草刈り機用回転刃。
【請求項２】
前記縦刃が、前記横刃よりも、これらの回転中心側にずれて設けられていることを特徴とする請求項１に記載の草刈り機用回転刃。
【請求項３】
前記横刃と前記縦刃が別体で形成され、これら重畳させて固定することにより構成されていることを特徴とする請求項１に記載の草刈り機用回転刃。
【請求項４】
前記縦刃が、前記横刃の一部を下方へ折り曲げることによって形成されていることを特徴とする請求項１に記載の草刈り機用回転刃。
【発明の詳細な説明】
【技術分野】
【０００１】
本発明は草刈り機に取り付けられて、草を刈り取るようにした回転刃に関するものである。
【背景技術】
【０００２】
一般に、草刈り機として、エンジン等の駆動装置が組み込まれた本体に長尺なシャフトを突設し、このシャフトの先端に草刈り用の回転刃を回転自在に装着するとともに、この回転刃を、前記駆動装置に回転伝達機構を介して連結し、また、前記本体に肩掛け用のバンドを装着した構成のものが知られている。
【０００３】
この草刈り機は、この草刈り機を、作業者が前記バンドを用いて肩に担いで使用する。
このため、前記草刈り機の全重量が常に作業者にかかってしまい、作業者の大きな負担となっている。
【０００４】
このような作業者の負担を軽減するために、たとえば、特許文献１に示されるような走行式草刈り機が提案されている。
【０００５】
この走行式草刈り機は、走行用の複数の車輪が装着された基体に、エンジン等の駆動装置を組み込むとともに、前記基体の下部に、前記駆動装置によって回転駆動させられる回転刃を装着した構成となっており、この回転刃は、前記複数の車輪の内側に配置されている。
【０００６】
そして、草刈り機の全重量を前記車輪によって支えた状態で、前記回転刃を回転させつつ走行させることにより、この走行方向前方にある草を順次刈り取るようにしている。
【先行技術文献】
【特許文献】
【０００７】
【特許文献１】特開２０１５−１５９７２８号公報
【発明の概要】
【発明が解決しようとする課題】
【０００８】
ところで、前述した何れの草刈り機にあっても、草刈り時に、前記回転刃によって石跳ねを起こし、飛ばされた石によって、作業者を含め草刈り作業周辺に損傷を生じさせることがある。
【０００９】
このような不具合を解消するために、前記回転刃の上方および側方を覆うカバーを装着することが実施されている。
【００１０】
しかしながら、このようなカバーを装着することにより、次のような新たな問題が生じている。
【００１１】
すなわち、前記回転刃を地面に沿うように移動させると、この地面に生えている草が、前記カバーによって押し倒されて前記回転刃の下方に潜り込んでしまい、刈り取りができないといった問題点である。
【００１２】
これは、前述した何れの形式の草刈り機においても、前記回転刃が略水平面内で回転させられ、かつ、草を刈り取る刃の部分も同様に前記回転刃の回転面を移動させられていて、前記回転刃の下に潜り込んだ草と前記回転刃の刃の部分の移動軌跡が交差しないことに起因している。
【００１３】
本発明は、前述した従来の不具合に鑑みてなされたもので、草刈り機に用いられる回転刃において、この回転刃の移動方向前方にある草が倒れた状態であっても、この草を確実に刈り取ることができる草刈り機用回転刃を提供することを解決すべき課題とする。
【課題を解決するための手段】
【００１４】
本発明に係わる草刈り機用回転刃は、前述した課題を解決するために、地面と略平行な面内で回転させられることにより、前記地面に生えている草を刈り取るようにした草刈り機用回転刃であって、前記回転面に沿って設けられた横刃と、この横刃の回転面より下方へ突出する縦刃によって構成されていることを特徴とする。
【００１５】
このような構成とすることにより、前記草刈り機用回転刃を回転させると、前記横刃によって水平面に沿った切断面が形成されるとともに、前記草刈り機用回転刃の下方に、前記縦刃によって、鉛直面に沿った切断面が形成される。
【００１６】
ここで、前記草刈り機用回転刃の上方および側方をカバーによって覆った場合、前記草刈り機用回転刃の移動に伴い、その前方の草が前記カバーによって倒される。
【００１７】
そして、前述したように倒された草は、前記横刃の下に潜り込んでしまうこととなるが、前記横刃の下方に、前記縦刃によって鉛直面に沿った切断面が形成されていることにより、この縦刃による切断面が、倒された草と交差させられる。
【００１８】
これによって、前述したように倒された草が、前記縦刃によって切断されて刈り取られる。
【００１９】
このように、本発明では、草刈り機用回転刃をカバーで覆って安全性を確保した状態でも、草刈りを確実に行なうことができる。
【００２０】
そして、前記縦刃は、前記横刃よりも、これらの回転中心側にずらして設けることが好ましい。
【００２１】
このような構成とすることにより、前記草を、より根元に近い位置で刈り取ることができる。
【００２２】
前記横刃と前記縦刃は、それぞれ別体に形成しておき、これら重畳させて固定することにより草刈り機用回転刃を構成することができ、あるいは、前記縦刃を、前記横刃の一部を下方へ折り曲げることによって草刈り機用回転刃を構成することもできる。
【発明の効果】
【００２３】
本発明の草刈り機用回転刃によれば、草刈り機用回転刃をカバーで覆って安全性を確保した場合において草の倒れ現象が生じた場合にあっても、この倒れた草を縦刃によって切断することができ、これによって草刈りを確実に行なうことができる。
【図面の簡単な説明】
【００２４】
【図１】本発明の一実施形態が適用された走行式の草刈り機を示す外観斜視図である。
【図２】本発明の一実施形態が適用された走行式の草刈り機を示すもので、カバーを取り外した状態を示す外観斜視図である。
【図３】本発明の一実施形態が適用された走行式の草刈り機を示すもので、要部の拡大縦断面図である。
【図４】本発明の一実施形態が適用された走行式の草刈り機を示すもので、要部の分解斜視図である。
【図５】本発明の一実施形態を示すもので、操作を説明するための、図３と同様の図である。
【図６】本発明の変形例を示す外観斜視図である。
【発明を実施するための形態】
【００２５】
ついで、本発明の一実施形態について図１ないし図５を参照して説明する。
これらの図において、符号１は、本実施形態が適用された走行式の草刈り機を示す。
【００２６】
この草刈り機１は、走行用車輪２、駆動装置３、および、操作用のハンドル４が装着された本体５を備えており、この本体５の下部に、前記駆動装置３によって回転駆動させられる本実施形態に係わる回転刃（図２以降を参照）が設けられている。
【００２７】
図１においては、前記回転刃が、前記本体５に取り付けられているカバー６によって覆われている。
【００２８】
図２に符号７で示すように、本実施形態の回転刃が、前記本体５の下方において、図示しない前記駆動装置３の駆動軸に一体に取り付けられている。
【００２９】
ついで、この回転刃７について図３および図４を参照して説明する。
この回転刃７は、地面と略平行な面内で回転させられる横刃８と、この横刃８の回転面より下方へ突出する縦刃９によって構成されている。
【００３０】
さらに詳述すれば、前記横刃８は、図４に示すように、長尺な矩形状の金属プレートを用いて形成されている。
【００３１】
すなわち、前記金属プレートの長さ方向の中心部には、前記縦刃９の位置決めを行なうための突起８ａが下方に向けて突設され、長さ方向の両端部の側面には、エッジ状に加工された刃８ｂがそれぞれ形成されている。
【００３２】
これらの刃８ｂは、それぞれ、前記横刃８の回転方向前方に向くように、前記突起８ａを中心として点対称に形成されている。
【００３３】
一方、前記縦刃９は、本実施形態においては一対設けられており、前記横刃８に、その突起を挟んだ両側に固定されるようになっている。
【００３４】
そして、前記各縦刃９は、矩形状の金属プレートによって形成されており、その一端部には、前記横刃８の前記突起８ａに係合させられる切り欠き９ａが、長さ方向に開口するように形成され、他端部が、下方に向けて折曲させられるとともに、その側部がエッジ状に加工されて刃９ｂとなされている。
【００３５】
前記各縦刃９に形成される前記刃９ｂは、これらの縦刃９が前記横刃８の下部に重畳させられた状態において、その回転方向前方に向くように配置される。
【００３６】
そして、前記縦刃９は、前記横刃８の下面に、前記切り欠き９ａを前記突起８ａに係合させた状態で重畳させられる。
【００３７】
そして、図３に示すように、これらの重畳部分において、これらを貫通して設けられるボルト１０により、前記駆動装置３の駆動軸３ａに直交するように固定される。
【００３８】
このように固定された本実施形態に係わる回転刃７は、前記駆動軸３ａによって回転駆動され、この回転によって、前記横刃８により水平面に沿った切断領域を形成し、その下部に突出するように、前記縦刃９により鉛直面に沿った切断領域を形成する。
【００３９】
ついで、このように形成された本実施形態に係わる回転刃７の作用について説明する。
【００４０】
前記草刈り機１に装着された本実施形態の回転刃７は、その上方および側方を前記カバー６によって覆われた状態で使用される。
【００４１】
そして、前記回転刃７を回転させつつ前記草刈り機１を走行させると、短い草は、一旦、前記カバー６によって倒されるものの、前記カバー６の内部に入り込んだ際に直ちに立ち上がる。
【００４２】
したがって、短い草は、図５に符号Ａで示すように、前記カバー６内に入り込んだ際に、前記横刃８によって形成されている水平方向の切断領域に入り、切断され刈り取られる。
【００４３】
一方、図５に示すように、長い草Ｂは、前記カバー６によって倒れた状態に保持されることにより、前記カバー６内において、前記横刃８の切断領域の下方に潜り込む。
したがって、前記横刃８による切断は行なわれず刈り取られない。
【００４４】
しかしながら、前記草刈り機１の走行に伴い、前述したように倒された長い草Ｂが前記回転刃７の回転中心に近づくと、この回転中心近傍には、前記縦刃９によって鉛直面方向の切断領域が形成されているから、この切断領域に前記倒された長い草Ｂが交差させられる。
この結果、前記倒された長い草Ｂが、倒れた状態で切断されて刈り取られる。
【００４５】
このように、本実施形態の回転刃７によれば、この回転刃７をカバー６によって覆って作業者の安全を確保した場合であっても、確実に草刈りを行なうことができる。
【００４６】
なお、前記実施形態において示した各構成部材の諸形状や寸法等は一例であって、設計要求等に基づき種々変更可能である。
たとえば、前記実施形態においては、前記縦刃９を、前記横刃８よりも、これらの回転中心側にずれた位置に設けた例について示したが、これらの相対的な位置関係は任意に設定可能である。
【００４７】
また、前記横刃８と前記縦刃９を別体に形成に、これら重畳させて固定することにより前記回転刃７を構成した例について示したが、図６に示すように、前記縦刃９を、前記横刃８の一部に略レ字状の切り込みを入れて、その内側を下方へ折り曲げることによって、これらを一体に形成することも可能である。
【符号の説明】
【００４８】
１  （走行式）草刈り機
２  走行用車輪
３  駆動装置
３ａ  駆動軸
４  ハンドル
５  本体
６  カバー
７  回転刃
８  横刃
８ａ  突起
８ｂ  刃
９  縦刃
９ａ  切り欠き
９ｂ  刃
１０  ボルト
Ａ  短い草
Ｂ  長い草
【図１】
2017143772.tif 000003
【図２】
2017143772.tif 000004
【図３】
2017143772.tif 000005
【図４】
2017143772.tif 000006
【図５】
2017143772.tif 000007
【図６】
2017143772.tif 000008